(57)【要約】【課題】案内体と入口板との間の隙間から穀粒が飛散することを防ぐ。【解決手段】前処理部（２）から搬送される穀稈を供給口（１３）から導入して脱穀する脱穀部（３）と、供給口（１３）の下縁部から前方に延出し、穀稈を供給口（１３）に導く入口板（１７）と、前処理部（２）の搬送終端部から入口板（１７）の上面部に亘って設けられ、穀稈を入口板（１７）上へ導く案内体（２０）と、を備えるコンバインにおいて、供給口（１３）の穂先側前方位置に、案内体（２０）と入口板（１７）との間に形成される隙間（Ｘ）からの穀粒の吹き出しを防止する塞ぎ部材（２１）を設け、塞ぎ部材（２１）は可撓性を有する板状体で構成し、その基端部（２１ａ）を脱穀機体（Ｆ）側に取付支持し、先端部（２１ｂ）が案内体（２０）との接触によって移動可能に片持ち状に設けると共に、塞ぎ部材（２１）の先端部（２１ｂ）を長く延出して案内体（２０）の下に入り込ませた。【選択図】図４
2012080832.tif 000002
【特許請求の範囲】
【請求項１】
穀稈を刈り取る前処理部（２）と、前処理部（２）から搬送される穀稈を供給口（１３）から導入し、導入した穀稈を脱穀処理する脱穀部（３）と、供給口（１３）の下縁部から前方に延出し、搬送穀稈を供給口（１３）に導く入口板（１７）と、前処理部（２）の搬送終端部から入口板（１７）の上面部に亘って設けられ、搬送穀稈を入口板（１７）上又は供給口（１３）内へ導く案内体（２０）と、を備えるコンバインにおいて、供給口（１３）の穂先側前方位置に、案内体（２０）と入口板（１７）との間に形成される隙間（Ｘ）からの穀粒の前方への吹き出しを防止する塞ぎ部材（２１）を設け、塞ぎ部材（２１）は可撓性を有する板状体で構成し、その基端部（２１ａ）を脱穀機体（Ｆ）側に取付支持し、先端部（２１ｂ）が案内体（２０）との接触によって移動可能に片持ち状に設けると共に、塞ぎ部材（２１）の先端部（２１ｂ）を長く延出して案内体（２０）の下に入り込ませたことを特徴とするコンバイン。
【請求項２】
塞ぎ部材（２１）の先端部（２１ｂ）を、入口板（１７）の前端（１７ｄ）よりも前方まで延出したことを特徴とする請求項１のコンバイン。
【発明の詳細な説明】
【技術分野】
【０００１】
本発明は、前処理部の搬送終端部から脱穀入口板の上面部に亘って設けられ、搬送穀稈を脱穀入口板上又は供給口内に導く案内体を備えるコンバインに関する。
【背景技術】
【０００２】
一般に、前処理部から搬送される穀稈を、脱穀部の供給口から導入して扱室内で脱穀処理するにあたり、前処理部の搬送終端部から脱穀入口板の上面部に亘って板状又はシート状の可撓性を有する案内体を設けたコンバインが知られている。この案内体は、前処理部と脱穀部との間に存在する隙間を塞ぎつつ、前処理部の昇降動作を許容するために設けられるもので、前処理部と脱穀部との間の隙間に搬送穀稈が落ち込むことを防ぐようになっている。また、脱穀部の供給口から穀粒が吹き出すのを防止する為に、供給口の前面に搬送穀稈の導入を許容しながら穀粒の吹き出しを防止する飛散防止体（可撓体）を吊り下げ状に設けたコンバインも一般的である。
ところで、案内体の下面部（搬送終端部穂先側）と、脱穀入口板の上面部との間に隙間が形成され、この隙間から穀粒が吹き出す虞があるが、前記飛散防止体は案内体の上方で供給口から吹き出す穀粒の飛散を防止するためのものであるから、案内体の下方における穀粒の吹き出しを防止する作用はない。そこで、案内体と脱穀入口板との間に形成される隙間からの穀粒の吹き出しを防止する塞ぎ部材を設けたコンバインが考案されている（例えば、特許文献１参照）。
【先行技術文献】
【特許文献】
【０００３】
【特許文献１】特開２００８−２７８７５４号公報
【発明の概要】
【発明が解決しようとする課題】
【０００４】
しかし、上記文献のものは、塞ぎ部材（穂先ガイド部材２１）が硬く、案内体（可撓体２０）が前処理部の昇降動作によって穂先ガイド部材２１上を前後に摺動移動する際に抵抗となり易く、可撓体２０が摺れて破れたり、可撓体２０が撓んで穀稈の搬送を妨げるという課題があった。
【課題を解決するための手段】
【０００５】
本発明は、上記の如き実情に鑑みこれらの課題を解決することを目的として創作されたものであって、穀稈を刈り取る前処理部と、前処理部から搬送される穀稈を供給口から導入し、導入した穀稈を脱穀処理する脱穀部と、供給口の下縁部から前方に延出し、搬送穀稈を供給口に導く入口板と、前処理部の搬送終端部から入口板の上面部に亘って設けられ、搬送穀稈を入口板上又は供給口内へ導く案内体と、を備えるコンバインにおいて、供給口の穂先側前方位置に、案内体と入口板との間に形成される隙間からの穀粒の前方への吹き出しを防止する塞ぎ部材を設け、塞ぎ部材は可撓性を有する板状体で構成し、その基端部を脱穀機体側に取付支持し、先端部が案内体との接触によって移動可能に片持ち状に設けると共に、塞ぎ部材の先端部を長く延出して案内体の下に入り込ませたことを特徴とする。
また、塞ぎ部材の先端部を、入口板の前端よりも前方まで延出したことを特徴とする。
【発明の効果】
【０００６】
以上のように構成される本発明のコンバインによれば、案内体と入口板との間に形成される隙間からの穀粒の吹き出しを防止する塞ぎ部材を設けたから、穀粒の飛散を防止してロスを減少できる。また、塞ぎ部材を可撓性を有する板状体で構成し、その先端部が案内体との接触によって移動可能に片持ち状に設けたから、案内体が摺れて破れたり、塞ぎ部材が抵抗となって案内体が撓んで穀稈の搬送を妨げることを防止できる。また、塞ぎ部材の先端部を長く延出して案内体の下に入り込ませたから、案内体と入口板との間の隙間を確実に塞いで穀粒の飛散を防止できる。
また、塞ぎ部材の先端部を、入口板の前端よりも前方まで延出したから、案内体との接触によって塞ぎ部材の先端部が入口板上を前方へ摺動移動する時に、例えば、入口板の前端に穀粒の落下を阻止する上方を向いた曲げ部が形成されていたとしても、塞ぎ部材が曲げ部を乗り越えて引っ掛かりを防止することができる。
【図面の簡単な説明】
【０００７】
【図１】コンバインの左側面図である。
【図２】脱穀部の始端部を示す左側面図である。
【図３】前処理部の終端部及び脱穀部の始端部を示す平面図である。
【図４】脱穀部の始端部を示す正面図である。
【図５】脱穀部の始端部を示す斜視図である。
【図６】塞ぎ部材の単品図である。
【発明を実施するための形態】
【０００８】
本発明の実施形態について、図面に基づいて説明する。
図１において、１はコンバインであって、コンバイン１は穀稈を刈り取る前処理部２と、刈り取った穀稈から穀粒を脱穀して選別する脱穀部３と、選別された穀粒を貯留する穀粒タンク４と、脱穀済みの排稈を後処理する後処理部５と、運転席や各種の操作具が設けられる操縦部６と、クローラ式の走行部７と、を備えて構成されている。
【０００９】
前処理部２は、穀稈を分草するデバイダ８、穀稈を引き起こす引起装置９、穀稈の株元を切断する刈刃装置１０、刈り取った穀稈を脱穀フィードチェン１１の始端部まで搬送する搬送装置１２などを備えて構成されている。そして、前処理部２は、走行機体の前端部に昇降自在に連結され、走行機体と前処理部２との間に介設される前処理昇降シリンダ（図示せず）の油圧伸縮動作に応じて昇降されるようになっている。
【００１０】
図２〜図５に示すように、脱穀部３は、前処理部２から搬送される穀稈を脱穀フィードチェン１１で引継ぐと共に、引継いだ搬送穀稈を供給口１３から扱室１４内に導入し、扱室１４に内装される扱胴１５で脱穀処理するようになっている。そして、扱室１４で脱穀された穀粒は、受網１６を介して選別室（図示せず）に漏下され、ここで選別される。本実施形態の扱胴１５は、いわゆる下扱ぎ式であり、正面から見て時計回り方向Ａに回転される。従って、供給口１３は、扱胴１５の下側外周面に沿って穀稈を供給すべく、その下縁が円弧状に形成されている。
【００１１】
次に、本発明の要部である脱穀部３の始端部構成について説明する。これらの図に示すように、脱穀部３の始端部には、入口板１７、カバー体１８、飛散防止カバー体１９及び、塞ぎ部材２１が設けられている。
【００１２】
入口板１７は、供給口１３の下縁部から前方に延出する正面視で略円弧状（樋状）の樹脂材からなる板材であり、搬送穀稈を供給口１３へ導くようになっている。尚、本実施形態の入口板１７は、前高後低状に傾斜すると共に、前後方向中間位置に段差１７ａを有し、段差１７ａよりも前側の上面１７ｂを高く、段差１７ａよりも後側の上面１７ｃを低くしてある。これにより、入口板１７上の穀粒が前方に転がり落ちることが防止される。更に、入口板１７の前端１７ｄには上方に向く曲げ部（図２参照）を形成しており、この曲げ部も穀粒の落下を阻止している。
【００１３】
カバー体１８は、供給口１３の穂先側端部に立設されている。飛散防止カバー体１９は、カバー体１８から株元側に突出するように設けられた板部材であり、供給口１３の穂先側前方に位置することにより、供給口１３の穂先側から吹き出す穀粒の飛散を防止するようになっている。
【００１４】
案内体２０は、前処理部２の搬送終端部から入口板１７の上面部に亘って設けられる板状又はシート状の可撓部材であり、前処理部２と脱穀部３との間に存在する隙間を塞ぎつつ、前処理部２の昇降動作を許容する。これにより、前処理部２と脱穀部３との間の隙間に搬送穀稈が落ち込むことが防止される。具体的には、案内体２０の前端部２０ａは前処理部２側に片持ち状に取付支持され、前処理部２が昇降動作して前処理部２の搬送終端部が前後に移動すると、案内体２０の遊端側である後端部２０ｂが入口板１７上を前後に摺動移動する。案内体２０は搬送穀稈が乗っても前処理部２と脱穀部３との隙間に落ち込まないように、張りのある硬めのゴム板で構成されている。
【００１５】
案内体２０は、前処理部２からの搬送穀稈を供給口１３に導入ガイドする作用があり、その後端部２０ｂは入口板１７の形状に合わせて正面視で湾曲した形状となる。これにより、搬送穀稈の穂先部は、受網１６の曲げ方向に予め曲げられて、扱室１４内にスムーズに入って脱穀処理されることになる。
【００１６】
ところで、案内体２０は硬めのゴム板で構成される為に、案内体２０と入口板１７との間の隙間が完全には塞がれず（案内体２０が入口板１７の形状に沿わない箇所ができて）、案内体２０の下面部と入口板１７の上面部との間に隙間が形成され、この隙間から穀粒が前方に吹き出す問題があった。特に、扱胴１５の回転下手側である供給口１３の穂先側においては、入口板１７、飛散防止カバー体１９及び、案内体２０で形成される三角形状の隙間Ｘから勢いよく穀粒が吹き出し、穀粒が飛散してロスが発生する問題があった。
そこで本実施形態では、前記隙間Ｘを塞ぎ、隙間Ｘからの穀粒の吹き出しを防止する塞ぎ部材２１を設けている。次に、塞ぎ部材２１の具体的な構成について説明する。
【００１７】
塞ぎ部材２１は、図６に示されるように可撓性を有する板状体（柔軟性のある薄目の可撓体）で構成される。塞ぎ部材２１の上部２１ａの片側（案内体２０と接触する側）は三角形状に切欠いて形成しており、前記隙間Ｘを塞ぐのに影響のない余分な部分をカットすることで、塞ぎ部材２１が案内体２０の前後移動を極力邪魔しないように構成している。そして、図２〜図５に示されるように、塞ぎ部材２１は供給口１３の穂先側前方位置に吊り下げ状態で設けられ、基端側である上部２１ａが飛散防止カバー体１９側（脱穀機体Ｆ側）に取付支持されており、先端側（遊端側）である下部２１ｂの板面で、前記隙間Ｘを正面視で覆う構成となっている。即ち、隙間Ｘの穂先側側方又は上方に位置する脱穀機体Ｆ側に塞ぎ部材２１の上部２１ａを取付け、その取付部から隙間Ｘに向けて塞ぎ部材２１を垂らすことにより隙間Ｘを覆う構成となっている。尚、本実施形態では塞ぎ部材２１を飛散防止カバー体１９に接着剤で貼り付けた構成となっているが、これに限らずボルト止めで取付けた構成としてもよい。
【００１８】
また、吊り下げ支持された塞ぎ部材２１の下部２１ｂは、入口板１７の上面１７ｂに達する長さよりも長く延出され、延出された下部２１ｂは前方に折り曲がりながら入口板１７の上面１７ｂに沿って前方に延設される。該延出部は入口板１７の前端１７ｄにある上方を向いた曲げ部（図２参照）を越えて、該曲げ部よりも前方まで延出される構成となっている。
【００１９】
前記案内体２０の後端部２０ｂは、入口板１７及び塞ぎ部材２１に対して上方から乗っかるように配置され、可撓性を有する板状体で構成された塞ぎ部材２１が案内体２０下面及び入口板１７上面の形状に沿って変形して案内板２０下面及び入口板１７上面に接触することにより、入口板１７、飛散防止カバー体１９及び、案内体２０で形成される三角形状の隙間Ｘが塞ぎ部材２１の下部２１ｂの板面により確実に塞がれる。また、長く延出されて前方に折り曲げられた延出部２１ｂは入口板１７の下に入り込ませ、案内体２０の前後移動によって塞ぎ部材２１の下部２１ｂが引き摺られて前後に移動しても、塞ぎ部材２１と入口板１７の上面１７ｂとの間に隙間が空かないように構成している。
【００２０】
叙述の如く構成された本実施形態によれば、穀稈を刈り取る前処理部２と、前処理部２から搬送される穀稈を供給口１３から導入し、導入した穀稈を脱穀処理する脱穀部３と、供給口１３の下縁部から前方に延出し、搬送穀稈を供給口１３に導く入口板１７と、前処理部２の搬送終端部から入口板１７の上面部に亘って設けられ、搬送穀稈を入口板１７上又は供給口１３内へ導く案内体２０と、を備えるコンバインにおいて、供給口１３の穂先側前方位置に、案内体２０と入口板１７との間に形成される隙間Ｘからの穀粒の前方への吹き出しを防止する塞ぎ部材２１を設け、塞ぎ部材２１は可撓性を有する板状体で構成し、その基端部２１ａを脱穀機体Ｆ側に取付支持し、先端部２１ｂが案内体２０との接触によって移動可能に片持ち状に設けると共に、塞ぎ部材２１の先端部２１ｂを長く延出して案内体２０の下に入り込ませた。よって、案内体２０と入口板１７との間に形成される隙間Ｘからの穀粒の吹き出しを防止する塞ぎ部材２１を設けたから、穀粒の飛散を防止してロスを減少できる。また、塞ぎ部材２１を可撓性を有する板状体で構成し、その先端部２１ｂが案内体２０との接触によって移動可能に片持ち状に設けたから、案内体２０が摺れて破れたり、塞ぎ部材２１が抵抗となって案内体２０が撓んで穀稈の搬送を妨げることを防止できる。また、塞ぎ部材２１の先端部２１ｂを長く延出して案内体２０の下に入り込ませた構成としたから、案内体２０と入口板１７との間の隙間Ｘを確実に塞いで穀粒の飛散を防止できる。
また、塞ぎ部材２１の先端部２１ｂを、入口板１７の前端１７ｄよりも前方まで延出したから、案内体２０との接触によって塞ぎ部材２１の先端部２１ｂが入口板１７上を前方へ摺動移動する時に、例えば、入口板１７の前端１７ｄに穀粒の落下を阻止する上方を向いた曲げ部（図２参照）が形成されていたとしても、塞ぎ部材２１が曲げ部を乗り越えて引っ掛かりを防止することができる。
【符号の説明】
【００２１】
２      前処理部
３      脱穀部
１３    供給口
１７    入口板
１７ｄ  前端
２０    案内板
２１    塞ぎ部材
２１ａ  基端部（上部）
２１ｂ  先端部（下部）
Ｘ      隙間
Ｆ      脱穀機体
【図１】
2012080832.tif 000003
【図２】
2012080832.tif 000004
【図３】
2012080832.tif 000005
【図４】
2012080832.tif 000006
【図５】
2012080832.tif 000007
【図６】
2012080832.tif 000008